(57)【要約】【課題】従来の石鹸液の取出装置は構造が複雑であり、特に往復動により弁機構のシールの為のパッキンは、ゴム製でリング状であるため、乾燥し易く、動作不能になることがあった。そこで、故障やメインテナンスのためにコストが掛かることを要していた点を改善する。【解決手段】液体容器を取り付ける着脱部、ポンプ機構、放出管からなり、該ポンプ機構は、着脱部と連通する本体部、該本体部内を往復動してポンプ作用を行う吐出部材、該部材を押圧する部材が備えられており、該吐出部材は放出管側の衝接部に逆止弁を設けると共に該逆止弁部分には、吐出部材の往動によって、逆止弁が連通又は閉鎖する流路が設けられて液を取出し且つ放出管へ液を排出する逆止弁構造で静止時には外部とを閉鎖する液体取出装置【選択図】  図１
2005287799.tif 000002
【特許請求の範囲】
【請求項１】
液体容器を取り付ける着脱部、ポンプ機構、放出管からなるものにおいて、該ポンプ機構には、着脱部と連通する主体部、該主体部内を往復動してポンプ作用を行う吐出部材、該吐出部材には、逆止弁が放出管側において滑動自在に設けられると共に、逆止弁と吐出部材間には流路が設けられ、該流路は吐出部材の往動によって逆止弁は前記流路を開口し、復動時には流路を閉鎖するように形成されて放出管への開口を開き、又該吐出部材を押圧する押圧部材が備えられている液体取出装置
【請求項２】
前記逆止弁は、吐出部材の衝接部へ嵌合して流路を形成する孔部分と半径方向には断面フレア状となるシール片部が反方向に延出し本体部とシールするために周状に形成されていることを特徴とする請求項1記載の液体取出装置
【請求項３】
前記逆止弁のボス部又は衝接部には、溝又は管路が形成され、連通する流路が形成されていることを特徴とする請求項２記載の液体取出装置
【請求項４】
前記着脱部には、口径の異なった液体容器の開口部を固定できる締め付け構成からなる請求項１記載の液体取出装置
【請求項５】
前記液体取出容器は据付台上に回転自在に取り付けられており、液体容器の取り付け又は取り外しできる据付構成を備えたことを特徴とする請求項１、２．３又は４記載の液体取出装置
【発明の詳細な説明】
【技術分野】
【０００１】
本発明は、液体の取出装置に関し、特に風呂場、洗面所やトイレなどで石鹸液やシャンプーを取り出す装置に関する。
【背景技術】
【０００２】
従来、液体の取り出し装置は、よくトイレなどで見られるように、図８等に示すような容器を逆さに取付け、その容器の下端に取り付けた押圧部材で弁を手で押すことで開口させ、その重力による落下によって、液を取り出すものがある。
【特許文献１】実公昭４２−１３６６４８号公報
【発明の開示】
【発明が解決しようとする課題】
【０００３】
従来の形式の石鹸液の取り出し装置では、構造が複雑であり、更には、往復動により弁機構のシールの為のパッキンは、リング状であるため、摩滅したり又は材料疲労により、動作不能になることがあった。
特にパッキンにシリコン・ゴムを使用すると乾燥し易いので動物油が使われることがあるがＢＳＥなどで製品イメージが損なわれるの嫌われる。
このような状況では、故障やメインテナンスのためにコストが掛かることを要し、ホテルや宿舎などの規模の大きいトイレでは負担となる。又上記の従来の構成では、石鹸液を取り出すときに、時々弁機構を手で押すと石鹸液が出なくなったりすることがある。この原因は、石鹸液が空気と触れると固まり易いためである。
【０００４】
本発明は、上記の問題点を改善して、パッキンを断面板状のフレア状として反方向に延出して反撥させてゴムパッキンと同じく抵抗をもたせてシール構造とし、逆止弁機構のシール構造を簡単なものとして故障やメインテナンスをなくし又は不要とする、液取出装置を得ることを目的とする。
【０００５】
又、従来のこの種液体取出装置においては、単に液体の取り出しが終了した後では、逆止弁のみで液の排出を止めているので、弁が壊れた場合や弁が不完全に停止している場合は、漏洩の恐れがあったが、本発明では、ポンプ部の逆止弁構造を静止時にもシール構成としても兼用させることができる液体取出装置を得ることを目的とする。
【０００６】
更に、従来の液体取出装置では、液体容器の取替えや装着に手間を要しており、又、容器の口径が異なると取付けが困難であった。
【課題を解決するための手段】
【０００７】
液体容器を取り付ける着脱部、ポンプ機構、放出管からなるものにおいて、該ポンプ機構には、着脱部と連通する本体部、該本体部内を往復動してポンプ作用を行う吐出部材、該吐出部材には、逆止弁が放出管側に滑動自在に設けられると共に、逆止弁と吐出部材間には流路が設けられ、該流路は吐出部材の往動によって逆止弁は前記流路を開口し、復動時には流路を閉鎖するように形成されて放出管への開口を開き、又該吐出部材を押圧する押圧部材が備えられている液体取出装置を提供する。
【０００８】
前記逆止弁は、衝接部と嵌合して流路を形成する孔部分と半径方向には断面フレア状となるシール片部が反方向に延出して本体部とシールするために周状に形成されているもので、この為に、本体部とシール作用をすると共に逆止弁によってシール片部により放出管の開口部をも閉鎖できる。
【０００９】
又逆止弁のボス部又は衝接部には、溝又は管路が形成され、連通する流路が形成されているので、ポンプ機構そのものを小型化することができる。
【００１０】
更に着脱部には、口径の異なった液体容器の開口部を固定できる締め付け構成を備えているので、容器の種類が異なっても対応することが可能となった。
【００１１】
前記液体取出容器は据付台上に回転自在に取り付けられており、液体容器の取り付け又は取り外しできる構成を備えているので迅速な装着が可能となった。
【発明の効果】
【００１２】
本発明は、以上のように、従来のこの種液体取出装置においては、単に液体の取り出しが終了した後では、逆止弁だけで液の排出を止めているので、弁が壊れたり完全に閉鎖しない場合には、漏洩の恐れがあったが、本発明では、吐出部材でも抵抗がある上に逆止弁のシール構造そのものを兼用して静止時には外部への漏洩防止の弁機能を持たせてあるのでシールは二重により十分となり、更には逆止弁は、半径方向には断面フレア状となるシール片部が反方向に延出して弾性を持たせるため本体部に対し周状に形成されているもので、ゴムと同様なシール部材とし、且つ、乾燥にもめげないパッキン構成が得られた。
【００１３】
更に、ポンプ作用を行う場合に、前記したように本発明の逆止弁構造では、逆止弁自体で外部とを密封する構造とする二重の役割を有するので、部品点数を減じられたものである。
【発明を実施するための最良の形態】
【００１４】
本発明の実施の形態を実施例に基づき、図面を参照して説明する。図１は本発明の液体取出装置を示す実施例の一つである。
【００１５】
図９に示す場合は、従来例の取り付け方であるが、石鹸液が収納された液体容器８は、洗面室の壁面等へ適宜の取り付け具を介して固定される。そして、液体取出装置１には、シャンプー等を収容した液体容器８が、該液の取出口を下方に向けて、該液取出装置上に着脱自在に備えられている。これに対して、本発明の液体取出装置は、図１に示すように、液体取出し装置は壁に取り付けられており、液体容器８が取付け台上の固定部３で取り付けられている。いずれにしても、その取り付け方は種々の変形が考えられる。
【００１６】
液体容器８は、取出装置の着脱部３の内部空間へ、該液体容器８の口部を挿入し締め部材３３１を口部側へ近づけることで固定する。その詳細は、図７に示されており、この点は後述する。
【００１７】
図１に示すように、着脱部３には、円錐状の座３１０が内部空間内にその下部へバネを介して収納されている。座３１０は、基部３５の穴部へ挿入され、且つ、液体容器の口部が座の円錐状の部分へ当接して該容器を安定させると共に液体が、座３１０の管路３１１内を通って、主体部２内へ液体を流し込む。
【００１８】
主体部２内には、逆止弁２１０があって、吐出部材４の往復動に応じて液を吸い込む。逆止弁２１０は、逆止弁２１０はバネ２０１によって、図右方へおされており、静止時には座２１１上で室を密封する。
逆止弁２1０には、室を仕切る壁２１２が設けられており、ポンプ作用を保障している。
なお、この例では、逆止弁２１０は、主体部２内へ設置したが、その位置は必ずしも、主体部２内でなくてもよく、着脱部２の基部３５内において適宜の空間部内へ設けても構わない。いずれにしてもこれらの逆止弁は従来周知のものであるが、主体部２内へ設けた場合には、ポンプ構造を一体化し、着脱部は構造簡単とすることが可能となる利点がある。
【００１９】
主体部２は、シリンダー状であって、その内部には吐出部材４があって、該本体部２内を摺動してポンプ作用を行うように構成されている。
【００２０】
吐出部材４の構造は、バネ用支持部材４０があって、該バネ用支持部材４０内には、バネ２０１が嵌っており図１の右方へ常時押圧している。バネ２０１により吐出部材４は、該往復動の内、復動では自動的に戻ることになる。
吐出部材４には、図２に示すように、ポンプ作用をすることになる押圧部４２があって、シール部材６の往復動を制御する。なお、図２に示す例では、逆止弁２１０は、着脱部３の基部３５内へ設けられているケースである。
【００２１】
その後方には、シール部材６が摺動する衝接部４１があって、その往復動によって、液の注排出を制御することになる。
即ち、吐出部材４の先端部には、吐出部材４の断面積より小さく且軸方向へ延出する衝接部４１があって、そこにはシール部材６が嵌合されている。
【００２２】
図２に示す状況は、静止時であるが、該シール部材６は、主体部２の押圧部４２で静止しており、その下端に放出管７の開口部がきており、静止した状態で、逆止弁であるシール部材６が、放出管７の開口を閉鎖している状況を示している。放出管７は、そこで液に使用者にとって、最も近い位置に設置できるのが分かる。
【００２３】
逆止弁６の衝接部４１への嵌合は、ゆるい嵌め合いでよく、滑動できるようにしておく。逆止弁６は、静止時は、図２に示すような位置に置かれる。
図５に示すように、逆止弁６は、合成樹脂で形成され、衝接部４１に嵌合する孔６０と該孔６０のボス部６０１から半径方向には断面フレア状となるシール片部６１、６１が反方向に延出し周状に形成され、糸巻き状となっている。
このため、ゴムパッキンと同様に弾力性を有することが可能となり、本体部２に対して突っ張り反撥してシール構造が得られる。又シリコンゴムと異なり合成樹脂でできるので乾燥にも強い。更に横に倒しても動くことがないのでシールは十分である。
【００２４】
更に、シール片部６１，６１は、両側に設けられているので、吐出部材６が復動して静止するときに液が放出管７の開口部をシール片部６１、６１が両側から周状に弾力を持って挟み込むので外部へ流出を防ぐ逆止弁となる。即ち、放出管の開口部上に跨って、シール片部６１が閉鎖することになる。該シール部材６は、後記する押圧部材５によって図３に示すように図３の左方へ共に滑動される。
【００２５】
逆止弁６は、衝接部４１に嵌合しているが、該衝接部４１には図５で示すように、約１２０度の割合で溝４１０が設けられている。即ち、逆止弁６の部分には溝４１０と共に該逆止弁のボス部６０１間に流路が形成されることになる。前記逆止弁６と衝接部４１との間には該溝４１０があるので、そこで該溝４１０を通して液が右方へ流れるようになっている。更に、衝接部４１には、外部から押すことによって動かされる押圧部材５が相対して設けられており、吐出部材４を押して往復動させることで吐出部材４を動かしポンプ作用を行わせる。なお、押圧部材５は、図３に示すような、回転により、該押圧部材５を動かす梃子部材が設けられてもよい。又前記溝４１０はこの例では、１２０度毎に設けられているが、その角度の割合は適宜選択可能である。
なお、逆止弁６のボス部６０１に細孔６０２を設けて流量調整の為に利用することも可能である。
【００２６】
しかし、押圧部材５を押すと、衝接部４１とぶつかり、このままでは溝４１０からの流れを塞ぐことになるので、押圧部材５の先端部には、図５に示すように、突部５１０が間隙５１１を形成するために端板５０へ設けられており、例え、押圧部材５の先端部が、吐出部材４の衝接部４１にぶつかっても、突部５１０の内側の間隙５１１より半径方向の外方へ向かう流れが形成されるようになっている。
【００２７】
突部５１０は、この例では、断面は棒状となっているが、単に円柱形や各柱等であっても構わない。又突部５１０でなく、図６に示すように、端板５０自体に溝を穿ってもよいのは勿論である。又、端板５０には、シールリング５０１が挿入されており、吐出部４及び押圧部材５が静止状態の時には、該シーリリング５０１が外部への漏れを防ぐ。押圧部材５は、バネ２０１の押動によって前記シール部材６を図２の右方へ動かし静止することになる。
この状態でわかるように、シ−ル部材６の静止位置は、主体部２の部材４２に接して止まり、その下端に放出管７の開口部がシールのために来るので、放出管は、液体取出装置の右側即ち、使用者にとって最も近い位置に設けられることになり、液が遠くに離れないので、液の無駄な使用が避けられる。
【００２８】
なお、図５に示す例では、外側に穿った溝４１０で流路を形成したが、図６に示すように、衝接部４１内へ管路４１１、４１２を設ける形式のものでも構わない。この例では、半径方向から内方へ孔が開けられ、それから軸方向へ向かう孔が、夫々管路４１１、４１２として形成されている。
【００２９】
放出管７の形状は、図２に示すように次第に縮小する先細状部７００となっており、下端部で拡大状な拡大部７０１となっている。
この状況で、液が垂れてくると、先細状部７００の下端部で固まるようにする。その先方では、拡大部７０１が拡大状となっているので固まりにくい。
従来のような、同径の管では、液は管のどの部分に溜まるか一定していなかったが、本発明では、液の溜まる場所が特定される。
放出管７の形状は、次第に縮小する先細状部７００となっており、下端部で拡大状な拡大部７０１となっているので、液は下方へ向かって速い流れとなって加速される。加速された液は、その先方では、拡大部７０１が拡大状となっているので流出されて、該拡大部７０１には止まることが無く、固まらない。このような構成とすることによって、液は放出管７内では、溜まり難いものとなっているのがわかる。
【００３０】
次に、作用状態を説明すると、図２に示す静止の状態から、図３に示すように、押圧部材５を往動させて左方へ押す。すると、液が逆止弁２１０を閉じる。    そして、室内の液は主体部２の内部から押されて図の右方へ流れ込むが、その流れの勢いと慣性によって逆止弁６は滑動して図２に示す状態から図３のように右側へ動き、すると逆止弁６下方の溝４１０が開放されていく。
右方へ向かったこの流れは、逆止弁６の下の衝接部４１の開放された溝４１０を通り、該逆止弁６が、押圧部材５の端板５０と接しているので、流れは、端板５０の突起５１０により形成された間隙５１１より半径方向へ向かうことになり、徐々に開いた放出管７の開口部から排出が始まる。
【００３１】
次に、この段階で、押圧部材５を離して静止状態にすると、図４に示すように復動時になり、バネ２０１によって、図４の右側へ動くことになるが、逆止弁６は、今度は図４でみて左側に滑動し隙間４４０からの流路を遮断する。
この時に、逆止弁６は左側に寄せられているので、放出管７の開口部が開き外部へ液が流れ出ていることになるが、押動では徐々に開口部が閉まり出す。
【００３２】
バネ２０１が吐出部材４を静止位置まで押すと、逆止弁６は図２のような位置で止まり、放出管７の開口部上で止まるようになっている。このように放出管７の開口部上に逆止弁６のシール片部６１が該開口部を挟むように静止するので、液の外部への漏れを防ぐことになる。つまり、ポンプ作用におけるシール作用と更にはポンプ停止時の外部へのシール作用の２つを兼務することになる。更に、弁をこのような形状としたので従来のようなリング状のものと比べて寸法も大きくできるので、精度や強度でも有利となり、材料疲労等は起こりにくい。
【００３３】
以上、上記実施例では、図２に示すように、なお、流れの調節のために、軸方向の長さが長くなるのを短縮するには、逆止弁６の孔６０に通じる半径方向の穴６０２を逆止弁の図２でみて左方側の入り口側のボス部６０１に開けておけば、逆止弁６と吐出部材４の間隙を縮めることが可能となる。
【００３４】
本発明の液体取出し装置は、例えば、図８に示すような据付台１００へ取り付けられる。図８に示す状態は、着脱部３が水平になるように回転された状態を示し、この状態で、液体容器８が、着脱部３へ取り付けられる。
取り付けた後は、再び液体取出し装置は、図でみて、時計と反対方向へ回転される。すると液体容器は、直立して液を落下させる位置となる。
【００３５】
この回転機構は液体取出し装置の主体部２の側面から延出する円状部９、９が、支持体９０．９０の環状部内へ嵌り込んでおり、回転を保障している。
据付台１００は適宜な手段によって、壁等へ取り付けられる。
【００３６】
更に、ボトル等の口径が異なっても取り付けられる着脱部３の容器口部の締め付け構成３３０は、図７に示すように、リング３２０が回転すると、そのリング３２０内の一側で回転自在に支持されている固定片３３１が、リング３２０の内側に突出する突部３２２によって、固定片３３１の背部を押して半径方向内側に押しやることで、液体容器を締め付け固定することになる。
又、リング３２０の回転は、そのリング３２０外側の突片３２１を手で動かすこと行える。
【００３７】
以上、従来、このような往復動型のポンプに適用される逆止弁は、ばね支持であり、故障の原因でもあったが、本発明では、自由支持であり、弁に対してばね部材は一切使用していない。即ち、特別の閉鎖の為の逆止弁等の部材が不要である。しかも、吐出部材の逆止弁によって、静止時放出管５の入口を塞ぐので、シール効果を高める構造は簡単となる。又、該閉鎖位置では、その内部は空気とは触れることがないので石鹸液の固まり易さは無くなる。
【００３８】
本実施例では、液体取出装置は、水平方向に設置されており、放出管及び液体容器は垂直方向に設置されているが、その他の種々の設置の仕方が当業者によって実施可能である。
【００３９】
本発明での液固化自動除去構造は、石鹸液を例として説明したが、その他の液体であっても勿論構わない。
【図面の簡単な説明】
【００４０】
【図１】壁に取り付けられる本発明の1実施例である液体取出装置の断面図を示す
【図２】本発明の液体取出装置の実施例の静止時の詳細な状態を示す。
【図３】本発明の液体取出装置の前記実施例において押圧部材が往動されており、液体容器から液を図右方へ押し出している状況を示す。
【図４】本発明の液体取出装置の１実施例のであって上記状態からバネ作用によって図右方向へ復動している状態を示し、液が外部へ取出されていると状況を示す。
【図５】本発明の１実施例における吐出部材、逆止弁、押出部材を含むポンプ機構の拡大図を示す。
【図６】本発明の他の１実施例における吐出部材、逆止弁、押出部材を含むポンプ機構の拡大図を示す。
【図７】本発明に使用されている液体取出装置のボトルの取り付け構造を示す。
【図８】本発明に使用される液体取出装置の壁に直接取付ける据付台を示す。
【図９】従来使用されている液体取出装置のポンプで壁に取り付けられている使用状態を示す。
【符号の説明】
【００４１】
１        液体取出装置
２        本体部
３        着脱部
３１０    弁座
４        主体部
４１      衝接部
４２      押圧部
４１０    溝
５        押圧部材
６        シール部材
６１      シール片部
５０      端版
５０１    シールリング
７        押圧部材
８        液体容器
【図１】
2005287799.tif 000003
【図２】
2005287799.tif 000004
【図３】
2005287799.tif 000005
【図４】
2005287799.tif 000006
【図５】
2005287799.tif 000007
【図６】
2005287799.tif 000008
【図７】
2005287799.tif 000009
【図８】
2005287799.tif 000010
【図９】
2005287799.tif 000011